【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
ネットワークインタフェースと、
該ネットワークインタフェースに接続された複数の適応マルチモードレイクフィンガであって、少なくとも２つの異なる固定のアーキテクチャを有する第１の複数の異種計算素子から成り、該第１の複数の異種計算素子が該複数の適応マルチモードレイクフィンガを形成するよう構成可能であり、該第１の複数の異種計算素子が第１のモード信号に応答してパス受信用の第１の機能モードに構成可能であり、第２のモード信号に応答してサーチ用の第２の機能モードに構成可能であり、および第３のモード信号に応答して第３の機能モードに構成可能であるような複数の適応マルチモードレイクフィンガと、
該複数の適応マルチモードレイクフィンガに接続されたマルチモードプロセッサであって、該第１のモード信号に応答してパス受信用の該第１の機能モードに構成可能であり、該第２のモード信号に応答して、該サーチ用の第２の機能モードに構成可能であり、およびさらに該第３のモード信号に応答して第３の機能モードに構成可能であるようなマルチモードプロセッサと、
を備えるマルチモードレイク受信機。
【請求項２】
捕捉モードの場合、前記複数の適応マルチモードレイクフィンガのすべての適応マルチモードレイクフィンガは前記サーチ用の第２の機能モードに構成され、前記マルチモードプロセッサは前記サーチ用の第２の機能モードに構成される、請求項１記載のマルチモードレイク受信機。
【請求項３】
トラヒックモードの場合、
前記複数の適応マルチモードレイクフィンガの第１の部分集合の適応マルチモードレイクフィンガは前記サーチ用の第２の機能モードに構成され、前記マルチモードプロセッサの第１の部分は前記サーチ用の第２の機能モードに構成され、
前記複数の適応マルチモードレイクフィンガの第２の部分集合の適応マルチモードレイクフィンガは前記パス受信用の第１の機能モードに構成され、前記マルチモードプロセッサの第２の部分は前記パス受信用の第１の機能モードに構成される、請求項１記載のマルチモードレイク受信機。
【請求項４】
パス受信用の第１の機能モードに構成される前記第２の部分集合の適応マルチモードレイクフィンガは、前記サーチ用の第２の機能モードに構成されたときの前記第１の部分集合のマルチモードレイクフィンガおよび前記マルチモードプロセッサの前記第１の部分によって決まるマルチパスの数に対応する、請求項３記載のマルチモードレイク受信機。
【請求項５】
前記サーチ用の第２の機能モードに構成される前記第１の部分集合の適応マルチモードレイクフィンガおよび前記パス受信用の第１の機能モードに構成される第２の部分集合の適応マルチモードレイクフィンガは、複数のチャネル依存パラメータから選択される少なくとも１つのチャネル依存パラメータに基づいて動的に決定され、前記複数のチャネル依存パラメータは、パイロット信号相対パワーレベル、識別されたマルチパスの数、識別された基地局の数、受信したトラヒックの信号対雑音比、および受信したトラックのエラーレートを含む、請求項３記載のマルチモードレイク受信機。
【請求項６】
アイドルモードの場合、
前記複数の適応マルチモードレイクフィンガの第１の部分集合の適応マルチモードレイクフィンガおよび前記マルチモードプロセッサの第１の部分は、前記サーチ用の第２の機能モードに構成され、
前記複数の適応マルチモードレイクフィンガの第２の部分集合の適応マルチモードレイクフィンガおよび前記マルチモードプロセッサの第２の部分は前記パス受信用の第１の機能モードに構成され、
前記複数の適応マルチモードレイクフィンガの第３の部分集合の適応マルチモードレイクフィンガおよび前記マルチモードプロセッサの第３の部分は、比較的低電力消費用の第４の機能モードに構成される、請求項１記載のマルチモードレイク受信機。
【請求項７】
前記第１の複数の異種計算素子が、
第１の固定のアーキテクチャを有する第１の計算素子と、第２の固定のアーキテクチャを有する第２の計算素子とから成り、前記第１の固定のアーキテクチャは前記第２の固定のアーキテクチャと異なる、請求項１記載のマルチモードレイク受信機。
【請求項８】
前記複数の適応マルチモードレイクフィンガが、
前記第１の複数の異種計算素子に接続された相互接続ネットワークをさらに備え、該相互接続ネットワークは、第１の構成情報に応答して前記第１の複数の異種計算素子を前記パス受信用の第１の機能モードに構成することが可能であり、該相互接続ネットワークは、第２の構成情報に応答して前記第１の複数の異種計算素子を前記サーチ用の第２の機能モードに再構成することが可能であり、および該相互接続ネットワークは、第３の構成情報に応答して前記第１の複数の異種計算素子を前記第３の機能モードに再構成することが可能である、請求項７記載のマルチモードレイク受信機。
【請求項９】
前記第１の複数の異種計算素子は、
擬似ランダムノイズシーケンスおよび直交コード発生器と、
該擬似ランダムノイズシーケンスおよび直交コード発生器に接続されたタイミング調整器と、
前記擬似ランダムノイズシーケンスおよび直交コード発生器に接続されたパイロット信号相関器と、
該パイロット信号相関器に接続された位相推定器と、
前記擬似ランダムノイズシーケンスおよび直交コード発生器ならびに前記タイミング調整器に接続されたチャネル相関器と、
該チャネル相関器に接続された位相調整器と、
をさらに備える、請求項７記載のマルチモードレイク受信機。
【請求項１０】
前記タイミング調整器からの第１の出力、前記パイロット信号相関器からの第２の出力、前記チャネル相関器からの第３の出力、および前記位相調整器からの第４の出力を含む複数の出力をさらに含み、該複数の出力がさらにマルチプレクサに接続され、該マルチプレクサは、前記第１の構成情報に応答して前記複数の出力から前記第４の出力を選択し、それによって前記パス受信用の第１の機能モードを提供することが可能であり、また、前記第２の構成情報に応答して前記複数の出力から前記第１の出力、前記第２の出力、および前記第３の出力を選択し、それによって前記サーチ用の第２の機能モードを提供することが可能である、請求項９記載のマルチモードレイク受信機。
【請求項１１】
前記第１の固定アーキテクチャおよび前記第２の固定アーキテクチャは、複数の特定のアーキテクチャから選択され、該複数の特定のアーキテクチャは、対応する機能、即ちメモリ、加算、乗算、複素乗算、減算、構成、再構成、制御、入力、出力、および現場でのプログラム可能性のうちの少なくとも２つの機能から成る請求項７記載のマルチモードレイク受信機。
【請求項１２】
前記マルチモードプロセッサは、
第２の複数の異種計算素子をさらに備え、該第２の第１の計算素子は第１の固定のアーキテクチャを有する第１の計算素子と、第２の固定のアーキテクチャを有する第２の計算素子とから成り、前記第１の固定のアーキテクチャは前記第２の固定のアーキテクチャと異なる、請求項１記載のマルチモードレイク受信機。
【請求項１３】
前記マルチモードプロセッサは、
前記第２の複数の異種計算素子に接続された相互接続ネットワークをさらに備え、該相互接続ネットワークは、前記第１の構成情報に応答して前記第２の複数の異種計算素子を前記パス受信用の第１の機能モードに構成することが可能であり、また、第２の構成情報に応答して前記第２の複数の異種計算素子を前記サーチ用の第２の機能モードに再構成することが可能であり、および、さらに第２の構成情報に応答して前記第２の複数の異種計算素子をサーチ用の第２の機能モードに再構成することが可能である、請求項１２記載のマルチモードレイク受信機。
【請求項１４】
前記第２の複数の異種計算素子は、
マルチパス結合器と、
モードおよびパス割り振りプロセッサと、
をさらに備える、請求項１２記載のマルチモードレイク受信機。
【請求項１５】
前記第１の固定アーキテクチャおよび前記第２の固定アーキテクチャは、複数の特定のアーキテクチャから選択され、該複数の特定のアーキテクチャは、対応する機能、即ち、メモリ、加算、乗算、複素乗算、減算、構成、再構成、制御、入力、出力、および現場でのプログラム可能性のうちの少なくとも２つの機能から成る、請求項１２記載のマルチモードレイク受信機。
【請求項１６】
移動局内に組み入れられる請求項１記載のマルチモードレイク受信機。
【請求項１７】
基地局内に組み入れられる請求項１記載のマルチモードレイク受信機。
【請求項１８】
マルチモードレイク機能モードを含む直接拡散式スペクトラム拡散受信装置であって、
複数の異種計算素子、これら複数の異種計算素子のうちの、第１の固定アーキテクチャを有し、前記第２の計算素子は第２の固定アーキテクチャを有する第１の計算素子、および該複数の異種計算素子のうちの該第１の固定のアーキテクチャとは異なる第２の固定アーキテクチャを有する第２の計算素子と、
該複数の異種計算素子に接続された相互接続ネットワークであって、第１の構成情報に応答して前記複数の異種計算素子をマルチパス受信用の第１の機能モードに構成することが可能であり、また、第２の構成情報に応答して前記複数の異種計算素子をサーチ用の第２の機能モードに再構成することが可能であり、およびさらに、該第１および第２の機能モードとは異なる第３の機能モードに応答して前記複数の異種計算素子を第３の機能モードに再構成可能である該相互接続ネットワークと、
を備える、直接拡散式スペクトラム拡散受信装置。
【請求項１９】
前記第１の固定アーキテクチャおよび前記第２の固定アーキテクチャは、複数の特定のアーキテクチャから選択され、該複数の特定のアーキテクチャは、対応する機能、即ちメモリ、加算、乗算、複素乗算、減算、構成、再構成、制御、入力、出力、および現場でのプログラム可能性のうちの少なくとも２つの機能から成る、請求項１８記載の直接拡散式スペクトラム拡散受信装置。
【請求項２０】
前記相互接続ネットワークは、前記複数の異種計算素子間でデータおよび制御情報を再構成可能なようにルーティングする、請求項１８記載の直接拡散式スペクトラム拡散受信装置。
【請求項２１】
前記複数の異種計算素子および前記相互接続ネットワークに接続されたコントローラをさらに備え、該コントローラは、前記複数の異種計算素子を前記マルチパス受信用の第１の機能モードに構成すること、前記複数の異種計算素子を前記サーチ用の第２の機能モードに再構成すること、および前記複数の異種計算素子を前記第３の機能モードに再構成することを指示しスケジューリングすることができる、請求項１８記載の直接拡散式スペクトラム拡散受信装置。
【請求項２２】
前記複数の異種計算素子および前記相互接続ネットワークに接続されたメモリをさらに備え、該メモリは、前記第１の構成情報、前記第２の構成情報、および前記第３の構成情報を格納することができる、請求項１８記載の直接拡散式スペクトラム拡散受信装置。
【請求項２３】
前記複数の異種計算素子および前記相互接続ネットワークは、複数の適応マルチモードレイクフィンガを形成して前記マルチパス受信用の第１の機能モードおよび前記サーチ用の第２の機能モードを提供するように構成されるとともに、前記複数の適応マルチモードレイクフィンガに動作可能に接続されたマルチモードプロセッサを形成するように構成され、
前記複数の適応マルチモードレイクフィンガの各適応マルチモードレイクフィンガは、前記第１の構成情報に応答して前記マルチパス受信用の第１の機能モードに構成されることが可能であり、またさらに、前記第２の構成情報に応答して前記サーチ用の第２の機能モードに構成されることが可能であり、
前記マルチモードプロセッサは、前記第１の構成情報に応答して前記マルチパス受信用の第１の機能モードに構成され、またさらに、第２の構成情報に応答して前記サーチ用の第２の機能モードに構成されることが可能である、請求項１８記載の直接拡散式スペクトラム拡散受信装置。
【請求項２４】
捕捉モードの場合、前記複数の適応マルチモードレイクフィンガのすべての適応マルチモードレイクフィンガは前記サーチ用の第２の機能モードに構成され、前記マルチモードプロセッサは前記サーチ用の第２の機能モードに構成される、請求項２３記載の直接拡散式スペクトラム拡散受信装置。
【請求項２５】
トラヒックモードの場合、
前記複数の適応マルチモードレイクフィンガの第１の部分集合の適応マルチモードレイクフィンガおよび前記マルチモードプロセッサの第１の部分は前記サーチ用の第２の機能モードに構成され、
前記複数の適応マルチモードレイクフィンガの第２の部分集合の適応マルチモードレイクフィンガおよび前記マルチモードプロセッサの第２の部分は前記マルチパス受信用の第１の機能モードに構成される、請求項２３記載の直接拡散式スペクトラム拡散受信装置。
【請求項２６】
前記マルチパス受信用の第１の機能モードに構成される前記第２の部分集合の適応マルチモードレイクフィンガは、前記サーチ用の第２の機能モードに構成されたときの前記第１の部分集合のマルチモードレイクフィンガおよび前記マルチモードプロセッサの前記第１の部分によって決まるマルチパスの数に対応する、請求項２５記載の直接拡散式スペクトラム拡散受信装置。
【請求項２７】
前記サーチ用の機能モードに構成される前記第１の部分集合の適応マルチモードレイクフィンガおよび前記マルチパス受信用の第１の機能モードに構成される第２の部分集合の適応マルチモードレイクフィンガは、複数のチャネル依存パラメータから選択される少なくとも１つのチャネル依存パラメータに基づいて動的に決定され、前記複数のチャネル依存パラメータは、パイロット信号相対パワーレベル、識別されたマルチパスの数、識別された基地局の数、受信したトラヒックの信号対雑音比、および受信したトラックのエラーレートを含む、請求項２５記載の直接拡散式スペクトラム拡散受信装置。
【請求項２８】
アイドルモードの場合、
前記複数の適応マルチモードレイクフィンガの第１の部分集合の適応マルチモードレイクフィンガおよび前記マルチモードプロセッサの第１の部分は前記サーチ用の第２の機能モードに構成され、
前記複数の適応マルチモードレイクフィンガの第２の部分集合の適応マルチモードレイクフィンガおよび前記マルチモードプロセッサの第２の部分は前記マルチパス受信用の第１の機能モードに構成され、
前記複数の適応マルチモードレイクフィンガの第３の部分集合の適応マルチモードレイクフィンガおよび前記マルチモードプロセッサの第３の部分は、比較的低電力消費用の第４の機能モードに構成される、請求項２３記載の直接拡散式スペクトラム拡散受信装置。
【請求項２９】
前記複数の異種計算素子は、
擬似ランダムノイズシーケンスおよび直交コード発生器と、
該擬似ランダムノイズシーケンスおよび直交コード発生器に接続されたパイロット信号相関器と、
該パイロット信号相関器に接続された位相推定器と、
前記擬似ランダムノイズシーケンスおよび直交コード発生器に接続されたタイミング調整器と、
前記擬似ランダムノイズシーケンスおよび直交コード発生器ならびに前記タイミング調整器に接続されたチャネル相関器と、
該チャネル相関器に接続された位相調整器と、
をさらに備える、請求項１８記載の直接拡散式スペクトラム拡散受信装置。
【請求項３０】
前記複数の異種計算素子は、
マルチパス結合器と、
モードおよびパス割り振りプロセッサと、
をさらに備える、請求項１８記載の直接拡散式スペクトラム拡散受信装置。
【請求項３１】
前記第１の固定アーキテクチャおよび前記第２の固定アーキテクチャは、複数の特定のアーキテクチャから選択され、該複数の特定のアーキテクチャは、対応する機能、即ちメモリ、加算、乗算、複素乗算、減算、構成、再構成、制御、入力、出力、および現場でのプログラム可能性のうちの少なくとも２つの機能から成る、請求項１８記載の直接拡散式スペクトラム拡散受信装置。
【請求項３２】
前記第３の機能モードが、非レイク受信機能モードから選択されるものである、請求項１８記載の直接拡散式スペクトラム拡散受信装置。
【請求項３３】
移動局内に組み入れられる請求項１８記載の直接拡散式スペクトラム拡散受信装置。
【請求項３４】
基地局内に組み入れられる請求項１８記載の直接拡散式スペクトラム拡散受信装置。
【請求項３５】
入力信号を受け取ること、
構成情報に応答して複数の異種計算素子を複数の適応マルチモードレイクフィンガを形成するよう構成すること、および
第１の構成情報に応答して、該複数の適応マルチモードレイクフィンガをパス受信用の第１の機能モードに構成することであって、それにより前記入力信号のマルチパス受信を提供する、パス受信用の第１の機能モードに構成すること、
第２の構成情報に応答して、前記複数の適応マルチモードレイクフィンガをサーチ用の第２の機能モードに構成することであって、それにより前記入力信号からの複数のパイロット信号の決定を提供する、サーチ用の第２の機能モードに構成すること、
第３の構成情報に応答して、該複数の適応マルチモードレイクフィンガを該第１および第２の機能モードとは異なる第３の機能モードに構成すること
とを含む、適応レイク受信方法。
【請求項３６】
前記第１の構成情報に応答して、マルチモードプロセッサをマルチパス結合器として前記パス受信用の第１の機能モードに構成することであって、それにより前記入力信号の前記マルチパス受信から出力データを供給する、パス受信用の第１の機能モードに構成すること、
第２に構成情報に応答して、前記マルチモードプロセッサをサーチ用の第２の機能モードに構成することであって、それにより前記入力信号から決定された前記複数のパイロット信号から好ましいパイロット信号を選択する、サーチ用の第２の機能モードに構成すること、および
前記第３の構成情報に応答して、前記マルチモードプロセッサを前記第３の機能モードに構成すること、
とをさらに含む、請求項３５記載の適応レイク受信方法。
【請求項３７】
捕捉モードにおいて、前記複数の適応マルチモードレイクフィンガのすべての適応マルチモードレイクフィンガおよび前記マルチモードプロセッサを前記サーチ用の第２の機能モードに構成することをさらに含む、請求項３６記載の適応レイク受信方法。
【請求項３８】
トラヒックモードにおいて、前記複数の適応マルチモードレイクフィンガの第１の部分集合の適応マルチモードレイクフィンガおよび前記マルチモードプロセッサの第１の部分を前記サーチ用の第２の機能モードに構成すること、
前記トラヒックモードにおいて、前記複数の適応マルチモードレイクフィンガの第２の部分集合の適応マルチモードレイクフィンガおよび前記マルチモードプロセッサの第２の部分を前記パス受信用の第１の機能モードに構成すること、
とをさらに含む、請求項３６記載の適応レイク受信方法。
【請求項３９】
パス受信用の第１の機能モードに構成される前記第２の部分集合の適応マルチモードレイクフィンガは、前記サーチ用の第２の機能モードに構成されたときの前記第１の部分集合のマルチモードレイクフィンガおよび前記マルチモードプロセッサの前記第１の部分によって決まるマルチパスの数に対応する、請求項３８記載の適応レイク受信方法。
【請求項４０】
前記サーチ用の第２の機能モードに構成される前記第１の部分集合の適応マルチモードレイクフィンガおよび前記パス受信用の第１の機能モードに構成される前記第２の部分集合の適応マルチモードレイクフィンガは、複数のチャネル依存パラメータから選択される少なくとも１つのチャネル依存パラメータに基づいて動的に決定され、前記複数のチャネル依存パラメータは、パイロット信号相対パワーレベル、識別されたマルチパスの数、識別された基地局の数、受信したトラヒックの信号対雑音比、および受信したトラックのエラーレートを含む、請求項３８記載の適応レイク受信方法。
【請求項４１】
アイドルモードにおいて、前記複数の適応マルチモードレイクフィンガの第１の部分集合の適応マルチモードレイクフィンガを前記サーチ用の第２の機能モードに構成するとともに、前記マルチモードプロセッサの第１の部分を前記サーチ用の第２の機能モードに構成し、
前記アイドルモードにおいて、前記複数の適応マルチモードレイクフィンガの第２の部分集合の適応マルチモードレイクフィンガを前記パス受信用の第１の機能モードに構成するとともに、前記マルチモードプロセッサの第２の部分を前記パス受信用の第１の機能モードに構成し、また、
前記アイドルモードにおいて、前記複数の適応マルチモードレイクフィンガの第３の部分集合の適応マルチモードレイクフィンガおよび前記マルチモードプロセッサの第３の部分を比較的低電力消費用の第４の機能モードに構成する、請求項３６記載の適応レイク受信方法。
【請求項４２】
移動局内で行われる請求項３５記載の適応レイク受信方法。
【請求項４３】
基地局内で行われる請求項３５記載の適応レイク受信方法。
【請求項４４】
第１の固定のアーキテクチャを有する第１の計算素子および該第１の固定のアーキテクチャとは異なる第２のアーキテクチャを有する第２の計算素子を含む複数の異種計算素子と、
該複数の異種計算素子に接続された相互接続ネットワークであって、前記複数の異種計算素子を、複数の適応マルチモードレイクフィンガを形成して、複数のレイク機能モードを提供するとともに、該複数の適応マルチモードレイクフィンガに動作可能に接続されたマルチモードプロセッサを形成するように構成することができ、さらに該複数の異種計算素子を構成して非レイク機能モードを提供することができる該相互接続ネットワークと、
を備える、直接拡散式スペクトラム拡散符号分割多重アクセス無線受信装置。
【請求項４５】
前記複数の適応マルチモードレイクフィンガの各適応マルチモードレイクフィンガは、第１の構成情報に応答して前記複数のレイク機能モードのうちのマルチパス受信機能モードに構成されるとともに、またさらに、第２の構成情報に応答して前記複数のレイク機能モードのうちのサーチャー機能モードに構成されることが可能であり、
前記マルチモードプロセッサは、前記第１の構成情報に応答して前記マルチパス受信機能モードに構成され、またさらに、第２の構成情報に応答して前記サーチャー機能モードに構成されることが可能である、請求項４４記載の直接拡散式スペクトラム拡散符号分割多重アクセス無線受信装置。
【請求項４６】
捕捉モードの場合、前記複数の適応マルチモードレイクフィンガのすべての適応マルチモードレイクフィンガは前記サーチャー機能モードに構成され、前記マルチモードプロセッサは前記サーチャー機能モードに構成される、請求項４５記載の直接拡散式スペクトラム拡散符号分割多重アクセス無線受信装置。
【請求項４７】
トラヒックモードの場合、
前記複数の適応マルチモードレイクフィンガの第１の部分集合の適応マルチモードレイクフィンガは前記サーチャー機能モードに構成され、前記マルチモードプロセッサの第１の部分は前記サーチャー機能モードに構成され、
前記複数の適応マルチモードレイクフィンガの第２の部分集合の適応マルチモードレイクフィンガは前記マルチパス受信機能モードに構成され、前記マルチモードプロセッサの第２の部分は前記マルチパス受信機能モードに構成される、請求項４５記載の直接拡散式スペクトラム拡散符号分割多重アクセス無線受信装置。
【請求項４８】
前記サーチャー機能モードに構成される前記第１の部分集合の適応マルチモードレイクフィンガおよび前記マルチパス受信機能モードに構成される第２の部分集合の適応マルチモードレイクフィンガは、複数のチャネル依存パラメータから選択される少なくとも１つのチャネル依存パラメータに基づいて動的に決定され、前記複数のチャネル依存パラメータは、パイロット信号相対パワーレベル、識別されたマルチパスの数、識別された基地局の数、受信したトラヒックの信号対雑音比、および受信したトラックのエラーレートを含む、請求項４７記載の直接拡散式スペクトラム拡散符号分割多重アクセス無線受信装置。
【請求項４９】
アイドルモードの場合、
前記複数の適応マルチモードレイクフィンガの第１の部分集合の適応マルチモードレイクフィンガおよび前記マルチモードプロセッサの第１の部分は前記サーチャー機能モードに構成され、
前記複数の適応マルチモードレイクフィンガの第２の部分集合の適応マルチモードレイクフィンガおよび前記マルチモードプロセッサの第２の部分は前記パス受信機能モードに構成され、
前記複数の適応マルチモードレイクフィンガの第３の部分集合の適応マルチモードレイクフィンガおよび前記マルチモードプロセッサの第３の部分は、比較的低電力消費に構成される、請求項４５記載の直接拡散式スペクトラム拡散符号分割多重アクセス無線受信装置。
【請求項５０】
ネットワークインタフェースと、
該ネットワークインタフェースに接続された複数の適応マルチモードレイクフィンガであって、該複数の適応マルチモードレイクフィンガの各適応マルチモードレイクフィンガは、複数の異種計算素子から成り、第１のモード信号に応答してパス受信用の第１の機能モードに構成され、また第２のモード信号に応答してサーチ用の第２の機能モードに構成され、およびさらに第３のモード信号に応答して第３の、非レイク機能モードに構成されることが可能な該複数の適応マルチモードレイクフィンガと、
該複数の適応マルチモードレイクフィンガに動作可能に接続され、複数の異種計算素子から成るマルチモードプロセッサであって、該複数の異種計算素子が、該第１のモード信号に応答してパス受信用の該第１の機能モードに構成され、該第２のモード信号に応答して該サーチ用の第２の機能モードに構成され、およびさらに該第３のモード信号に応答して該第３の、非レイク機能モードに構成されることが可能となっているマルチモードプロセッサと、を備え、
捕捉モードの場合、前記複数の適応マルチモードレイクフィンガのすべての適応マルチモードレイクフィンガは前記サーチ用の第２の機能モードに構成され、前記マルチモードプロセッサは前記サーチ用の第２の機能モードに構成され、
トラヒックモードの場合、前記複数の適応マルチモードレイクフィンガの第１の部分集合の適応マルチモードレイクフィンガはおよび前記マルチモードプロセッサの第１の部分は前記用の第２の機能モードに構成され、前記複数の適応マルチモードレイクフィンガの第２の部分集合の適応マルチモードレイクフィンガおよび前記マルチモードプロセッサの第２の部分は前記パス受信用の第１の機能モードに構成され、
前記サーチ用の第２の機能モードに構成される前記第１の部分集合の適応マルチモードレイクフィンガおよび前記パス受信用の第１の機能モードに構成される第２の部分集合の適応マルチモードレイクフィンガは、複数のチャネル依存パラメータから選択される少なくとも１つのチャネル依存パラメータに基づいて動的に決定され、前記複数のチャネル依存パラメータはさらに、パイロット信号相対パワーレベル、識別されたマルチパスの数、識別された基地局の数、受信したトラヒックの信号対雑音比、および受信したトラックのエラーレートを含む、マルチモードレイク受信機。